(57)【要約】【課題】雨垂れにともなう側面の汚れを防ぐことのできる雨水取り出し装置を提供すること。【解決手段】雨水取り出し装置１において、竪樋が接続される雨水排水部７に連設一体化された雨水取り出し部１０の上端が、雨水排水部から離れるにしたがって下方に傾斜し、この下方傾斜する雨水取り出し部の上端に蓋１４が装着され、蓋は、雨水取り出し部の上端と同一方向に下方傾斜して配置され、蓋は、上端部に下方にくぼむ凹部１８を有し、凹部には、雨水排水部から離れた位置に表裏を貫通する排水孔１９が形成され、排水孔は、蓋が雨水取り出し部に装着された状態において雨水取り出し流路に連通する。【選択図】図１
2009108510.tif 000002
【特許請求の範囲】
【請求項１】
竪樋の挿入口を上端に有し、挿入口の下方の底部に竪樋との接続部を有し、挿入口から接続部に至る雨水排水流路が形成された筒状の雨水排水部と、雨水排水部に連設一体化され、雨水排水部の雨水排水流路に連通する雨水取り出し流路が形成され、下端部に雨水取り出し流路に連通する雨水取り出し口部を有する筒状の雨水取り出し部とを備え、雨水排水部の挿入口から雨水排水流路に上側の竪樋が挿入され、接続部に下側の竪樋が接続されて上下の竪樋の間に取り付けられる雨水取り出し装置において、雨水取り出し部の上端は、雨水排水部から離れるにしたがって下方に傾斜し、この下方傾斜する雨水取り出し部の上端に蓋が装着され、蓋は、雨水取り出し部の上端と同一方向に下方傾斜して配置され、蓋は、上端部に下方にくぼむ凹部を有し、凹部には、雨水排水部から離れた位置に表裏を貫通する排水孔が形成され、排水孔は、蓋が雨水取り出し部に装着された状態において雨水取り出し流路に連通することを特徴とする雨水取り出し装置。
【請求項２】
雨水排水部の上端に縁部材が装着され、縁部材には、竪樋を挿入可能な開口が形成され、開口は、縁部材が雨水排水部の上端に装着された状態において雨水排水部上端の挿入口に連通し、縁部材の上端周縁部に、開口に向かって下方に傾斜する傾斜面が形成されていることを特徴とする請求項１に記載の雨水取り出し装置。
【請求項３】
蓋と縁部材とが一体化されていることを特徴とする請求項２に記載の雨水取り出し装置。
【発明の詳細な説明】
【技術分野】
【０００１】
本発明は、竪樋を流下する雨水を外部に取り出す雨水取り出し装置に関する。
【背景技術】
【０００２】
近年の水不足や地球環境保全の意識の高まりにつれて、雨水を資源として利用する考えが認識され、雨水を集水する装置が検討され、簡易な装置が提案されている。
【０００３】
たとえば、軒樋に連通する竪樋の適当な位置に取り付けられる筒状の装置で、竪樋が上部に接続される受水筒部と、受水筒部に連設され、連通する取水筒部とを備え、受水筒部の下端に、竪樋が接続される溢出雨水分岐樋が配設された雨水取り出し装置が知られている（特許文献１）。
【０００４】
特許文献１に記載された雨水取り出し装置では、取水筒部の内部にゴミろ過材およびゴミ除去網が配設され、その交換や掃除などのために取水筒部の上端に蓋が開閉自在に取り付けられている。
【特許文献１】実用新案登録第３１２９４９２号公報
【発明の開示】
【発明が解決しようとする課題】
【０００５】
しかしながら、降雨時に蓋上面に降り注ぐ雨は、雨垂れとなって取水筒部の側面を伝って流下するため、降雨後、取水筒部が乾燥すると、蓋上面に付着していた汚れや雨滴中の埃などが取水筒部の側面に付着して残り、雨垂れの筋がつき、汚れることがあった。雨垂れの筋は外観上見苦しいものであり、雨水取り出し装置の外観を美麗に保つためには、清掃して汚れを除去するという手間がかかる。
【０００６】
本発明は、以上の通りの事情に鑑みてなされたものであり、雨垂れにともなう側面の汚れを防ぐことのできる雨水取り出し装置を提供することを課題としている。
【課題を解決するための手段】
【０００７】
本発明は、上記の課題を解決するために、以下の特徴を有する。
【０００８】
第１の発明は、竪樋の挿入口を上端に有し、挿入口の下方の底部に竪樋との接続部を有し、挿入口から接続部に至る雨水排水流路が形成された筒状の雨水排水部と、雨水排水部に連設一体化され、雨水排水部の雨水排水流路に連通する雨水取り出し流路が形成され、下端部に雨水取り出し流路に連通する雨水取り出し口部を有する筒状の雨水取り出し部とを備え、雨水排水部の挿入口から雨水排水流路に上側の竪樋が挿入され、接続部に下側の竪樋が接続されて上下の竪樋の間に取り付けられる雨水取り出し装置において、雨水取り出し部の上端は、雨水排水部から離れるにしたがって下方に傾斜し、この下方傾斜する雨水取り出し部の上端に蓋が装着され、蓋は、雨水取り出し部の上端と同一方向に下方傾斜して配置され、蓋は、上端部に下方にくぼむ凹部を有し、凹部には、雨水排水部から離れた位置に表裏を貫通する排水孔が形成され、排水孔は、蓋が雨水取り出し部に装着された状態において雨水取り出し流路に連通することを特徴としている。
【０００９】
第２の発明は、上記第１の発明において、雨水排水部の上端に縁部材が装着され、縁部材には、竪樋を挿入可能な開口が形成され、開口は、縁部材が雨水排水部の上端に装着された状態において雨水排水部上端の挿入口に連通し、縁部材の上端周縁部に、開口に向かって下方に傾斜する傾斜面が形成されていることを特徴としている。
【００１０】
第３の発明は、上記第２の発明において、蓋と縁部材とが一体化されていることを特徴としている。
【発明の効果】
【００１１】
上記第１の発明によれば、雨水取り出し装置において、竪樋が接続される雨水排水部に連設一体化された雨水取り出し部の上端が、雨水排水部から離れるにしたがって下方に傾斜し、この下方傾斜する雨水取り出し部の上端に蓋が装着され、蓋は、雨水取り出し部の上端と同一方向に下方傾斜して配置され、蓋は、上端部に下方にくぼむ凹部を有し、凹部には、雨水排水部から離れた位置に表裏を貫通する排水孔が形成され、排水孔は、蓋が雨水取り出し部に装着された状態において雨水取り出し流路に連通するので、降雨時に蓋上面に降り注ぐ雨を、下方傾斜する蓋の凹部内を排水孔に向かって流し、排水孔から雨水取り出し部の雨水取り出し流路に流し落とすことができる。したがって、雨水取り出し部の側面への雨垂れは生じにくく、雨垂れの筋がつきにくくなり、雨垂れにともなう雨水取り出し装置の側面の汚れを防ぐことができる。
【００１２】
上記第２の発明によれば、上記第１の発明の効果に加え、雨水排水部の上端に縁部材が装着され、縁部材には、竪樋を挿入可能な開口が形成され、開口は、縁部材が雨水排水部の上端に装着された状態において雨水排水部上端の挿入口に連通し、縁部材の上端周縁部に、開口に向かって下方に傾斜する傾斜面が形成されているので、竪樋が接続される雨水排水部の上端を美麗に納めるために縁部材を配設する場合、降雨時に縁部材上端に降り注ぐ雨を傾斜面によって、開口と竪樋との間に形成されるわずかな隙間を通じて雨水排水部上端の挿入口に流し落とすことができる。したがって、縁部材の上端からの雨垂れは生じにくく、雨水排水部の側面にも雨垂れの筋がつきにくくなり、雨水取り出し装置の側面の汚れをより一層防ぐことができる。
【００１３】
上記第３の発明によれば、上記第２の発明の効果に加え、蓋と縁部材とが一体化されているので、雨水取り出し部上端への蓋の装着および雨水排水部上端への縁部材の装着を同時に行うことができ、装着が簡便となる。
【発明を実施するための最良の形態】
【００１４】
図１、図２は、それぞれ、本発明の雨水取り出し装置の一実施形態を示した斜視図、縦断面図である。
【００１５】
図１および図２に示した雨水取り出し装置１は、上側の竪樋２の挿入口３を有し、挿入口３の下方の底部に下側の竪樋４との接続部５を有し、挿入口３から接続部５に至る雨水排水流路６が形成された角筒状の雨水排水部７と、雨水排水部７の雨水排水流路６に連通する雨水取り出し流路８が形成され、下端部に雨水取り出し流路８に連通する雨水取り出し口部９を有する筒状の雨水取り出し部１０とを備えている。雨水取り出し部１０は、雨水排水部７に連設一体化され、横断面形状が略半楕円形状とされている。
【００１６】
雨水排水部７では、竪樋２が挿入口３から雨水排水流路６の上端部付近に挿入される。挿入口３の形状および大きさは、竪樋２として用いられる角樋の外形形状および大きさに略一致させ、雨水取り出し装置１の取り付けを容易にし、また、雨水排水部７の外形形状および大きさも角樋の外形形状および大きさに対応させ、竪樋２、４との外観上の違和感を最小限に抑え、外観を良好にしている。
【００１７】
雨水排水部７が底部に有する竪樋４との接続部５は、底部から下方に延出された竪樋２の外形形状に対応する外形形状および大きさを有する角筒状の接続筒部５ａと、底部から雨水排水部７の内部に上方に延出された円筒状の壁部５ｂとから形成されている。壁部５ｂの外寸は接続筒部５ａの内寸より若干小さくされている。
【００１８】
雨水取り出し部１０では、円筒状の雨水取り出し口部９が底部から下方に延出されている。雨水取り出し口部９の外周面には、接続するホース１１が抜け外れないようにリブまたは溝９ａが設けられている。雨水取り出し部１０と雨水排水部７とは、底部から内部に立設された堰１２によって、雨水取り出し流路８と雨水排水流路６とを連通させつつ、区画している。堰１２によって区画された雨水取り出し部１０の内部には、雨水を浄水するためのゴミ除去部材、濾過材などを有するフィルター１３が交換自在に配設されている。
【００１９】
このような雨水取り出し装置１は、図３にも示したように、竪樋２の下端部が雨水排水部７の上端の挿入口３を通じて雨水排水流路６に挿入され、竪樋４の上端部が接続部５の接続筒部５ａの外側に嵌入または挿入されて、上下の竪樋２、４の間に取り付けられる。このとき、上側の竪樋２の下端部は、雨水排水流路６の上端部付近に配置される。また、雨水取り出し部１０の下端部の雨水取り出し口部９には、その外側に、ホース１１の上端部が嵌入または挿入されて、雨水取り出し部１０は、適所に配置された雨水タンクにホース１１を介して連通される。
【００２０】
上側の竪樋２から排水される雨水は、雨水排水部７に流下する。流下した雨水は、堰１２が設けられていることから直接雨水取り出し部１０に流出せず、堰１２および接続部５を形成する壁部５ｂの存在によって雨水排水部７内に溜まっていく。水面が壁部５ｂの高さを越えると、雨水は、壁部５ｂの内部に流れ込み、接続筒部５ａを経由して下側の竪樋４に流出し、排水される。このように、雨水取り出し装置１では、底部から内部に堰１２が立設され、雨水排水部７と雨水取り出し部１０とが区画され、雨水排水部７が接続部５に底部から上方に延出された壁部５ｂを備えているので、雨水排水部７において排水量をコントロールすることができ、排水溝などの排水能力を考慮して雨水を適当量に調節して排水することができる。
【００２１】
雨水排水部７に溜まる雨水の水面が堰１２の高さを越えると、雨水が越流し、雨水取り出し部１０に流れ込む。雨水取り出し部１０に流れ込んだ雨水は、フィルター１３によってゴミが除去され、濾過されて浄化され、資源用の水として雨水取り出し口部９を通じて雨水タンクに導かれる。このように、雨水取り出し装置１では、雨水排水部７と雨水取り出し部１０とが連通しつつも、堰１２によって区画されているので、排水量を一定量確保しながら、水資源として再利用する雨水を必要量取り出すことができる。竪樋２、４の排水性能および雨水取り出し装置１の取水性能が良好に実現される。
【００２２】
さらに、雨水取り出し装置１では、図１および図２に示したように、雨水取り出し部１０の上端が、雨水排水部７から離れるにしたがって下方に傾斜し、このように下方傾斜する雨水取り出し部１０の上端に、略半楕円形状を有する蓋１４が着脱自在に装着されている。雨水取り出し部１０の上端に装着された状態では、蓋１４は、雨水取り出し部１０の上端と同一方向に下方傾斜して配置される。
【００２３】
さらにまた、雨水取り出し装置１では、雨水排水部７の上端に、角筒状の雨水排水部７の外形形状に対応する外形形状を有する縁部材１５が着脱自在に装着されている。縁部材１５には、竪樋２の外形に対応した形状および大きさを有し、竪樋２の挿入を可能にした開口１６が形成され、縁部材１５が雨水排水部７に装着された状態では、開口１６が、雨水排水部７の上端の挿入口３に連通する。
【００２４】
このような蓋１４および縁部材１５は、一体的に形成されている。一体化された蓋１４および縁部材１５の裏面縁部には、外周に沿って下方に突出するリブ１７が形成され、雨水取り出し部１０および雨水排水部７の上端に嵌着可能とされている。雨水取り出し装置１は、一般にポリカーボネートなどの合成樹脂製であり、リブ１７を雨水取り出し部１０および雨水排水部７の上端内側へ嵌め込むことにより、蓋１４、縁部材１５は、それぞれ、雨水取り出し部１０、雨水排水部７に十分に保持され、風圧などを受けても取り外れにくくなる。もちろん、蓋１４および縁部材１５は取り外しも可能であり、ドライバーなどの治具を蓋１４または縁部材１５のいずれか一方の下端から雨水取り出し部１０または雨水排水部７の上端との間に差し込むなどによって、容易に取り外すことができる。場合によっては人の手指によって取り外すこともできる。蓋１４を取り外したとき、雨水取り出し部１０の内部に配設したフィルター１３の交換や内部の洗浄を行うことができる。
【００２５】
蓋１４および縁部材１５の装着により、雨水取り出し装置１と竪樋２、４との一体感が増し、特に、縁部材１５の装着によって、竪樋２が接続される雨水排水部７の上端を美麗に納めることができ、雨水取り出し装置１の外観が良好となる。また、一体化された蓋１４および縁部材１５は、雨水取り出し部１０の上端への蓋１４の装着および雨水排水部７の上端への縁部材１５の装着を同時に行うことを可能とし、装着が簡便となる。
【００２６】
なお、蓋１４は、縁部材１５側の端部において縁部材１５に上下に回動自在に軸支させることもできる。この場合、フィルター１３の交換や雨水取り出し部１０の内部の洗浄を、縁部材１５は雨水排水部７の上端に装着したまま、蓋１４を上方に回動させて開けるだけで行うことができ、作業性が良好となる。
【００２７】
また、蓋１４は、上端部に下方にくぼみ、一段低くなった凹部１８を有している。凹部１８には、雨水排水部７から離れた位置に表裏を貫通する排水孔１９が形成されている。蓋１４が雨水取り出し部１０の上端に装着された状態では、排水孔１９は、雨水取り出し部１０の雨水取り出し流路８に連通する。
【００２８】
一方、縁部材１５には、上端周縁部に、開口１６に向かって下方に傾斜する傾斜面２０が形成されている。
【００２９】
このため、雨水取り出し装置１では、図３に示したように、降雨時に蓋１４の上面に降り注ぐ雨を、雨水取り出し部１０の上端と同一方向に下方傾斜する蓋１４の凹部１８内を排水孔１９に向かって流し、排水孔１９から雨水取り出し部１０の雨水取り出し流路８に流し落とすことができる。したがって、雨水取り出し部１０の側面への雨垂れは生じにくく、雨垂れの筋がつきにくくなり、雨垂れにともなう雨水取り出し装置１の側面の汚れを防ぐことができる。
【００３０】
また、降雨時に縁部材１５の上端に降り注ぐ雨を下方に傾斜する傾斜面２０によって、縁部材１５の上面に貯留させることなく開口１６に向けて流し落とすことができる。開口１６は、上記の通り、竪樋２の外形形状に対応した形状および大きさを有しているが、通常、竪樋２の気温などの外部環境にともなう変形などを見越して設計され、竪樋２が開口１６に密着することは稀であり、開口１６と竪樋２との間にわずかな隙間が形成されるので、このわずかな隙間を通じて、開口１６から流れ落ちる雨水を雨水排水部７の上端の挿入口３に流し落とすことができる。したがって、縁部材１５の上端からの雨垂れが生じにくく、雨水排水部７の側面にも雨垂れの筋がつきにくくなり、雨水取り出し装置１の側面の汚れをより一層防ぐことができる。
【００３１】
なお、本発明の雨水取り出し装置が接続可能な竪樋は、図１、図２および図３に示した角樋ばかりでなく、丸樋であってもよく、雨水排水部７の外形形状をはじめ、接続部５および縁部材１５の外形形状や、雨水排水部７の挿入口３および縁部材１５の開口１６の形状は、竪樋の外形形状に対応して適宜なものとすることができ、各部位の大きさも竪樋の大きさに対応させることが可能である。
【図面の簡単な説明】
【００３２】
【図１】本発明の雨水取り出し装置の一実施形態を示した斜視図である。
【図２】図１に示した雨水取り出し装置の縦断面図である。
【図３】図１および図２に示した雨水取り出し装置における雨垂れ防止について示した斜視図である。
【符号の説明】
【００３３】
１  雨水取り出し装置
２  竪樋
３  挿入口
４  竪樋
５  接続部
６  雨水排水流路
７  雨水排水部
８  雨水取り出し流路
９  雨水取り出し口部
１０  雨水取り出し部
１４  蓋
１５  縁部材
１６  開口
１８  凹部
１９  排水孔
２０  傾斜面
【図２】
2009108510.tif 000003
【図１】
2009108510.tif 000004
【図３】
2009108510.tif 000005